(57)【要約】家屋模型の基盤となるとともに床部分を構成する床基盤ブロック２、家屋模型の壁部分を構成する壁用ブロック３、家屋模型の屋根部分を構成する屋根用ブロック４及び上記床基盤ブロック２上において地面や家屋内の床表面を構成する床パネルブロック５の要素ブロックからなり、床基盤ブロック２と壁用ブロック３との接合部、及び床基盤ブロック２と屋根用ブロック４との接合部には、各要素ブロック間を連通する孔部が形成される。そして、この孔部を通して、例えば照明への電源供給のための線材Ｗが、家屋模型の外部から内部に亘って配線される。
2003103793.tif 000002
【特許請求の範囲】
【請求項１】
複数の異なる形状のブロックを接合して組み立て、家屋の模型を作製する家屋組立おもちゃにおいて、
上記家屋の模型の基盤となるとともに床部分を構成し、一方主面上に異種のブロックが接合される第１の突部が形成されるともに、上記一方主面と垂直をなす各側面に同種のブロックが接合される第２の突部及び凹部が形成される床基盤ブロックと、
上記家屋の模型の壁部分を構成し、上記床基盤ブロックの第１の突部が嵌合される凹部が形成される壁用ブロックと、
上記家屋の模型の屋根部分を構成し、縦横に接合された複数の構成ブロック群からなる屋根用ブロックとを備え、
上記各ブロックの接合部において、上記各突部及び上記各凹部の接合により接合されたブロック間を連通させる孔部が構成され、上記家屋の模型の外部から内部に亘って、上記孔部を通して線材が配線されることを特徴とする家屋組立おもちゃ。
【請求項２】
上記屋根用ブロックは、上記構成ブロック群中に、方形状を呈し、相対向する一対の側面が同方向且つ同角度に傾斜した構成ブロックを備えてなり、
上記構成ブロックは、平行な上記側面同士を接合面として接合することで平面を成し、平行ではない上記側面同士を接合面として接合することで屈折部を成すことを特徴とする請求の範囲第１項記載の家屋組立おもちゃ。
【請求項３】
上記壁用ブロックは、中央部が大きく開放された略ロ字状を呈する壁基盤と、
上記壁基盤の開放部を挟み込み且つ閉塞するよう取り付けられる一対の壁パネルとからなることを特徴とする請求の範囲第１項記載の家屋組立おもちゃ。
【請求項４】
上記床基盤ブロックの一方主面上に取り付けられ、一方主面に床の装飾パターンの加工が施され、他方主面に上記床基盤ブロックへの接合部が形成された床パネルをさらに備えることを特徴とする請求の範囲第１項記載の家屋組立おもちゃ。
【発明の詳細な説明】
技術分野
本発明は、形状の異なる複数のブロックによって家屋模型を組み立てる家屋組立おもちゃに関する。
背景技術
従来から、子供の遊技用具として、人形やミニチュアの家具等とともに用いられる家屋模型を組み立てるための形状の異なる複数のブロック、具体的には実際の家屋の各部（屋根、壁、床等）を構成するブロックからなる家屋組立おもちゃが知られている。このような家屋組立おもちゃでは、ブロックや積み木等の技術を応用して、上述した形状の異なる複数のブロックを相互に接合することにより、家屋の縮小模型が作製される。この家屋組立おもちゃは、上述した子供の遊技用具として以外にも、例えば実際の建物を建築する際に作られる建築模型や、展示会等への展示用の縮小模型等の用途に幅広く使用されている。
家屋組立おもちゃとしては、例えば、特表２００１−５１７５１号公報（ＷＯ９９／１６０３７）（以下、文献１と称する。）に、複数の地形ピースからなる地形モジュールとともに組み立てられるモジュラー建物が開示されている。このモジュラー建物は、基礎、壁部材、カプラ、屋根ユニットを主な構成要素としている。このうち、カプラにより接続された複数の基礎がモジュラー建物の床となり、壁部材がカプラと同様にして基礎に取り付けられモジュラー建物の壁となる。そして、壁部材には、モジュラー建物の屋根となる屋根ユニットが取り付けられる。
また、実開昭６２−１８９７９８号公報（以下、文献２と称する。）には、壁及び床に壁材や床材等装飾備品が取り付け可能な人形用のハウス玩具が開示されている。
さらに、実開昭６３−１２２３７８号公報（以下、文献３と称する。）には、現実の家屋を適宜な比率で縮小した自由設計ミニチュアハウス部材が開示されている。この自由設計ミニチュアハウス部材は、家屋の構成部分を細かく分けてそれぞれ同一サイズに縮小して模型化した数多くの構成部品、例えば骨格用の部材や床畳材、屋根材等であり、これら数多くの構成部品によりミニチュアハウスが組み立てられている
また、実開昭６１−６８２８０号公報（以下、文献４と称する。）には、住宅模型用の屋根用ブロックの組合せについて開示されている。この屋根用ブロックの組合せは、出隅線に沿う屋根と屋根との接合部に、平屋根ブロック接合用の出隅屋根ブロックを用いて出隅屋根を形成している。
上述した各文献記載の従来の家屋組立おもちゃのうち文献１及び文献３、文献４記載の家屋組立おもちゃは、その部品点数が多く、特に文献１記載の家屋組立おもちゃは基礎組立のための部品が、文献４記載の家屋組立おもちゃは屋根の出隅部分を形成するための部品点数が多く、そのため組立が複雑化、困難化している。
また、文献２記載の家屋組立おもちゃは、その部品点数が少ないため、組立を容易且つ手軽に行えるが、壁材や床材等装飾備品の取り付け場所が予め決められており、組立の自由度や拡充性に乏しい。
発明の開示
本発明は、上述したような実情に鑑みてなされたものであり、構成部品となるブロックの点数を抑えて組立の簡易化を図りながら、組立の自由度や拡充性に富んだよりリアルな家屋模型を作製することのできる家屋組立おもちゃを提供することを目的とする。
このような本発明に係る家屋組立おもちゃは、複数の異なる形状のブロックを接合して組み立て、家屋の模型を作製するものであり、上記家屋の模型の基盤となるとともに床部分を構成し、一方主面上に異種のブロックが接合される第１の突部が形成されるともに、上記一方主面と垂直をなす各側面に同種のブロックが接合される第２の突部及び凹部が形成される床基盤ブロックと、上記家屋の模型の壁部分を構成し、上記床基盤ブロックの第１の突部が嵌合される凹部が形成される壁用ブロックと、上記家屋の模型の屋根部分を構成し、縦横に接合された複数の構成ブロック群からなる屋根用ブロックとを備えてなる。そして、上記各ブロックの接合部において、上記各突部及び上記各凹部の接合により接合されたブロック間を連通させる孔部が構成され、上記家屋の模型の外部から内部に亘って、上記孔部を通して線材が配線されることを特徴とする。
また、本発明では、上記屋根用ブロックが、構成ブロック群中に、方形状を呈し、相対向する一対の側面が同方向且つ同角度に傾斜した構成ブロックを備え、この構成ブロックは、平行な上記側面同士を接合面として接合することで平面を成し、平行ではない上記側面同士を接合面として接合することで屈折部を成すことを特徴とする。
上述した本発明の家屋組立おもちゃでは、各ブロックの接合部に構成された孔部を利用した簡易且つ自在な電源供給用等の線材の配線が可能となり、例えば家屋の模型の内部に照明等を持たせることでよりリアルな家屋の模型が作製可能となる。
また、本発明では、一種の構成ブロックの接合向きを変更することによって、平面と屈折部の双方が構成可能となるため、主棟部分のように屋根の角度を変更する部位において特別な部品を必要とすることがなく、部品点数が少なく抑えられる。したがって、本発明では、このように少ない部品点数により、組立の簡易化が図られる。
発明を実施するための最良の形態
以下、本発明を適用した具体的な実施の形態について図面を参照しながら詳細に説明する。
本発明を適用した最良の形態として図１に示す家屋組立おもちゃ１は、実際の家屋の主要な構成要素を模したブロック（以下、要素ブロックと称する。）を複数組み合わせ、且つ接合することによって組み立てられた実際の家屋の縮小サイズ、例えば３５分の１スケールの家屋模型である。家屋組立おもちゃ１を構成する要素ブロックには、大別して、家屋模型の基盤となるとともに床部分を構成する床基盤ブロック２と、家屋模型の壁部分を構成する壁用ブロック３と、家屋模型の屋根部分を構成する屋根用ブロック４と、上記床基盤ブロック２上において地面や家屋内の床表面を構成する床パネルブロック５とがある。
床基盤ブロック２は、図２に示すように、略平板状を呈してなり、一方主面上には等間隔に且つ縦横に配列されて設けられた複数の第１の接合用突部６が形成されている。第１の接合用突部６は、詳細を後述するように床基盤ブロック２と他の要素ブロックとを接合するためのものであり、図２及び図３に示すように、一方主面側から他方主面側に貫通する貫通孔６ａを有する断面ロ字状を呈してなる。
また、床基盤ブロック２は、図２に示すように、その側面に、等間隔に設けられた複数の第２の接合用突部７が形成されている。第２の接合用突部７は、床基盤ブロック２同士を接合するためのものであり、床基盤ブロック２の他方主面側に面する溝部７ａを有する断面コ字状を呈してなる。この第２の接合用突部７は、隣接する第２の接合用突部７間の間隔が、第２の接合用突部７自体の幅と略同一とされる。そして、第２の接合用突部７間の床基盤ブロック２の側面には、図２及び図４に示すように、第２の接合用突部７に沿って設けられるとともに、最奥に後述する床基盤ブロック２の他方主面側に開口する孔部８ａが形成された接合用凹部８が設けられている。これら第２の接合用突部７及び接合用凹部８は、その位置が、相対向する側面同士では、ずれて、具体的には一方の側面で第２の接合用突部７がある位置には他方の側面では接合用凹部８が設けられるように、且つ隣接する側面同士では同位置になるように形成されている。
さらに、床基盤ブロック２は、図４に示すように、他方主面側の略全域が凹設されるとともに、該凹設された空間が格子状の仕切壁９によって複数に区画されている。床基盤ブロック２の他方主面側の凹設空間を区画する仕切壁９には、隣接する区画された空間同士を連通させるように切欠き９ａが形成されている。
上述した構成の床基盤ブロック２は、第１の接合用突部６を他の要素ブロックの接合用の凹部に嵌合させることによって、一方主面側において他の要素ブロックが接合される。
また、床基盤ブロック２は、第２の接合用突部７を他の床基盤ブロック２の接合用凹部８に嵌合させ、且つ接合用凹部８に他の床基盤ブロック２の第２の接合用突部７を嵌合させることによって、側面において、他の床基盤ブロック２が接合される。このとき、床基盤ブロック２においては、上述した位置関係で第２の接合用突部７と接合用凹部８とが形成されているため、２つの床基盤ブロック２の接合に際して接合面となる側面同士の突部と凹部の位置が常にずれるようになっている。したがって、家屋組立おもちゃ１では、床基盤ブロック２の向きを意識することなく、隣接する床基盤ブロック２の側面の位置がずれずに面一となるように複数の床基盤ブロック２の接合を行うことができる。また、家屋組立おもちゃ１では、隣接する床基盤ブロック２の側面を面一とすることなく、実際の敷地形状等を意識して、接合位置をずらした自由な複数床基盤ブロック２の接合を行うこともできる。
なお、床基盤ブロック２は、図２乃至図４に示す第１の接合用突部６が縦１２個、横１２個並べて形成された、正方形板状を呈したものに限定されるものではなく、上述した接合用の各突部及び凹部を有するものであれば、家屋組立おもちゃ１の形状や大きさ等に合わせて種々の形状のものを採用し得る。例えば、図５Ａに示す床基盤ブロック２の４分の１のサイズの床基盤ブロック２ａや、図５Ｂに示す１６分の１のサイズの床基盤ブロック２ｂ、図５Ｃに示す２分の１のサイズで且つロ字状とされた床基盤ブロック２ｃ等でもよく、これらを組み合わせて様々な大きさの床基盤を作製することができる。特に、床基盤ブロック２ｃは、２階建ての家屋組立おもちゃにおいて、階段の降口が必要な２階の床部分を構成する場合に好適に用いられる。また、上述した各大きさの床基盤ブロックにおいて、例えば床基盤ブロック２ａを基準として一坪と定義づけ、他の大きさのブロックをそれぞれ四坪、二坪等と称することとすれば、実際の敷地の大きさ等を意識しながら家屋模型を作製することもできるようになる。
壁用ブロック３は、図６及び図７に示すように、壁基盤１０と、該壁基盤１０を挟むようにして取り付けられる壁パネル１１とにより構成される。壁基盤１０は、中央部が大きく開放された略ロ字状を呈してなり、下部側が上記床基盤ブロック２の第１の接合用突部６との接合部位とされる。この接合部位とされる下部側には、図８に示すように、第１の接合用突部６が嵌合される第１の接合用凹部１０ａが形成されている。この第１の接合用凹部１０ａは、上記床基盤ブロック２との接合に際して、上記下側の接合部位と対向位置する全ての第１の接合用突部６を嵌合可能なように、等間隔で複数形成されている。この複数の第１の嵌合用凹部１０ａのうち少なくとも１つ、本例では２つの凹部１０ａは、図７に示すように、壁基盤１０の下部側を貫通する孔部として形成されている。また、壁基盤１０には、上記接合部位上に立設した部位の隅部に、壁パネル１１取り付け用のパネル取付け孔１０ｂがそれぞれ形成されている。
壁パネル１１は、図７に示すように、一方主面に種々の壁の素材、例えば大理石や煉瓦等を模した色やパターン（以下、壁装飾パターンと称する。）の加工が施されており、また、他方主面に壁基盤１０への取り付け用のボス１１ａとピン１１ｂとが形成されている。これらボス１１ａとピン１１ｂとは、壁パネル１１の四隅近傍に、一対の壁パネル１１において他方主面側同士を対向させた際に一方の壁パネル１１のボス１１ａと他方の壁パネル１１のピン１１ｂとが相対向する位置関係で設けられている。
このような壁パネル１１は、家屋の内側と外側とで異なる壁装飾パターンのものを用いることで、家屋模型に多様な装飾を施すことができるようになるとともに、内装、外装とで壁の素材等が異なっている実際の家屋により近づけて、リアルさが増した家屋模型とすることもできる。
また、この壁パネル１１は、上述した壁の素材や状態を模する加工だけでなく、図９Ａに示すように、略中央部に孔部を形成して窓パターンのある壁としたり、図９Ｂに示すように、中央付近まで達する大きな切欠きを形成してドアパターンのある壁としたり等、種々の形状に形成しても良い。なお、このように、窓パターン、ドアパターンを有する壁用ブロック３とする場合には、家屋の内側、外側ともに上記各形状を有する壁パネル１１を用いる。
上述した構成の壁用ブロック３は、図７に示すように、壁基盤１０の開放部位を挟み且つこの開放部位を閉塞するように一対の壁パネル１１を対向させ、壁基盤１０のパネル取付け孔１０ｂ内においてボス１１ａにピン１１ｂを嵌合させることで一対の壁パネル１１が壁基盤１０に取り付けられる。
また、上述した壁用ブロック３は、壁基盤１０の第１の接合用凹部１０ａに床基盤ブロック２の第１の接合用突部６を嵌合させることによって、床基盤ブロック２に接合される。そして、複数の壁用ブロック３を隙間無く床基盤ブロック２上に接合することによって家屋組立おもちゃ１の壁を構成することができる。
なお、壁用ブロック３は、図６に示す大きさ、具体的には６個の第１の接合用凹部１０ａ分の幅を有するものに限定されるものではなく、種々の幅、例えば２個の第１の接合用凹部分の幅や、１２個の第１の接合用凹部分の幅を有する壁基盤１０、及びこの壁基盤１０の幅に対応する壁パネル１１を使用して、様々な幅の位置に設置し得るようにしても良い。また、この壁用ブロック３の幅に対しても、上述した床基盤ブロック２のように、一定幅を一定単位で、例えばフィート等で定義し、実際の家屋の壁の幅等を意識しながら家屋模型を作製することもできる。例えば、１個の第１の接合用凹部を設けるのに必要な幅８．８ｍｍを１フィートと定義付けると、図６に示す壁用ブロック３は６フィート幅の壁とされ、その他の幅の壁用ブロックは第１の接合用凹部の数に応じて２フィート、１２フィートとされる。
また、例えば図１０に示す柱用ブロック１２を壁用ブロック３の間に位置するように床基盤ブロック２に接合して柱とし、家屋模型をより現実の家屋に近づけるようにしてもよい。この柱用ブロック１２には、詳しい図示は省略するが、壁用ブロック３と同様に下部側に一個の接合用の凹部が形成されている。
家屋組立おもちゃ１は、図１に示すように２階建ての家屋模型とする場合、２階床部分を構成する床基盤ブロック２が、１階壁部分を構成する壁用ブロック３上に接合される。この２階床部分の床基盤ブロック２と１階壁部分の壁用ブロック３とは、図１１に示すように、固定具１３により接合される。固定具１３は、例えば同図に示すように、異なる２種の太さを有する角柱状部材であり、２階床部分となる床基盤ブロック２と壁用ブロック３との間に介在され、太い方が床基盤ブロック２の仕切壁９間に、細い方が壁用ブロック３を構成する壁基盤１０上部側に形成された第２の接合用凹部１０ｃに嵌合されることで、床基盤ブロック２と壁用ブロック３とを接合する。なお、固定具１３は上述した形状に限定されるものではなく、床基盤ブロック２及び壁用ブロック３にそれぞれ形成される接合用の凹部等に対応した形状であればよい。
屋根用ブロック４は、形状の異なるブロックを複数組み合わせることによって様々な型の屋根を構成する。本実施例では、図１に示すように、家屋組立おもちゃ１において、２つの傾斜面からなる、いわゆる切妻型の屋根を構成した場合について説明する。屋根用ブロック４では、図１２に示す第１の構成ブロック１４を縦横に複数接合することで所望の大きさの屋根の傾斜面部分を構成する。この第１の構成ブロック１４は、一方主面側に実際の屋根表面を模した加工が施されている（以下、この一方主面側を第１の構成ブロック１４の表面と称して説明する。）。この表面の模様は、上下、左右に接合された他の第１の構成ブロック１４の表面の模様と連続するように形成されている。
第１の構成ブロック１４は、上述したように屋根用ブロック４における所望の大きさの傾斜面を構成するために複数縦横に接合されるが、図１中屋根の主棟部分から軒先方向へ向かう縦方向の接合面１４ａは傾斜して形成されている。この接合面１４ａの傾斜は、上記縦方向と直交する横方向の接合面１４ｄの形状が平行四辺形となるように、両面とも同方向且つ同角度とされている。接合面１４ａには、接合用の突部１４ｂ及び凹部１４ｃが形成されており、これら突部１４ｂ、凹部１４ｃは交互に位置するように、具体的には接合面１４ａの中央を挟んで、一方側に３つの突部１４ｂとこれら突部１４ｂの間の凹部１４ｃが、他方側に３つの凹部１４ｃとこれら３つの凹部１４ｃの間の突部１４ｂが形成されている。また、突部１４ｂ及び凹部１４ｃは、相対向する接合面１４ａでは位置を入れ替えて、具体的には上記一方側の対向位置には３つの凹部１４ｃとこれら３つの凹部１４ｃの間の突部１４ｂが、上記他方側の対向位置には３つの突部１４ｂとこれら突部１４ｂの間の凹部１４ｃが形成されている。そして、これら突部１４ｂ及び凹部１４ｃは、第１の構成ブロック１４の表面と水平な面に対して所定の角度、例えば３５度の角度で形成されている。
第１の構成ブロック１４の突部１４ｂは、上述した床基盤ブロック２の第２の接合用突部７と同様に溝部を有する断面コ字状を呈してなり、また、凹部１４ｃは、図１３に示すように、床基盤ブロック２の接合用凹部８と同様に最奥に第１の構成ブロック１４の他方主面側に開口する孔部が形成されている。
また、第１の構成ブロック１４は、横方向の接合面１４ｄが、接合面１４ａとは異なり表面と垂直をなし、上述したように平行四辺形状を呈する。そして、この接合面１４ｄには、接合用の突部１４ｅ及び孔部１４ｆが一の面にそれぞれ一個ずつ形成されている。この突部１４ｅ及び孔部１４ｆは、相対向する接合面１４ｄでは位置を入れ替えて形成されている。
さらに、第１の構成ブロック１４は、図１３に示すように、裏面側に、階段状の凹凸を有する立壁１４ｇが形成されている。この立壁１４ｇは、第１の構成ブロック１４の長手方向の中心軸に沿って形成されている。
屋根用ブロック４においては、上述した第１の構成ブロック１４を縦方向に接合する際に、隣接する第１の構成ブロック１４をどのように組み合わせるかを選択することによって、平面を構成する接合と、屈折した屋根の主棟部分を構成する接合とを行うことができる。具体的には、複数の第１の構成ブロック１４において、相対向させる接合面１４ａ同士が平行となるように接合した場合には平面が構成され、平行とならず表面側の部位が近接するように接合した場合には主棟部分が構成される。このように、家屋組立おもちゃで１では、接合する第１の構成ブロック１４の向きによって平面部分と、主棟部分とをそれぞれ構成することができるため、主棟部分を挟む一対の平面部分を接合する際に、角度を変更するための特別な部品を必要としない。したがって、家屋組立おもちゃ１では、組立に際してブロックの数が少なく抑えることができ、より簡易な家屋模型の組立を行うことができるようになる。
次に、屋根用ブロック４を構成し、上記第１の構成ブロック１４からなる切妻型の屋根の傾斜面部分を支える部位（以下、屋根用ブロック４の支持部分と称して説明する。）について説明する。この支持部分は、図１４に示す形状の異なる第２の構成ブロック１５が複数接合されることによって構成される。第２の構成ブロック１５は、最も主棟部分側に位置する略三角形状の頂部１５ａと、一の側面が傾斜面部分に接する傾斜部１５ｂと、一対の傾斜部１５ｂの間に位置してこれら傾斜部１５ｂの間隙を埋める長方形状の方形部１５ｃとからなり、これら各部に形成された接合用の突部及び凹部によって接合されることで略三角形状の上記支持部分を構成する。これら第２の構成ブロック１５には、頂部１５ａにあっては凹部のみが図１４における下面側に形成され、傾斜部１５ｂにあっては突部が傾斜面部分を除く同図における上面側に、凹部が下面側に形成され、方形部１５ｃにあっては突部が同図における上面側に、凹部が下面側に形成される。これら突部及び凹部は、各部において略同軸上に設けられ、突部に凹部まで貫通する貫通孔が形成されている。
上述した第２の構成ブロック１５は、例えば図１４に示すように、３段の支持部分を構成する場合には、最も主棟部分に近い１段目に頂部１５ａを配し、その下の２段目に頂部１５ａの傾斜と連続した傾斜面となるように２個の傾斜部１５ｂを配し、さらに３段目に２段目の傾斜部１５ｂの傾斜と連続した傾斜面となるように２個の傾斜部１５ｂを配し且つこれら２個の傾斜部１５ｂの間に方形部１５ｃを配してこれらを接合する。
屋根用ブロック４は、２階の壁部分となる壁用ブロック３に固定具１３を介して接合された床基盤ブロック２上に設置される。具体的には、最下段に位置する第２の構成ブロック１５の凹部に第１の接合用突部６を嵌合して床基盤ブロック２に接合された上記支持部分上に、上記傾斜面部分が載置されることによって、屋根用ブロック４が設置される。このとき、傾斜面部分を構成する第１の構成ブロック１４の立壁１４ｇの凹凸が、床基盤ブロック２の第１の接合用突部６に当接し、係止されるため、床基盤ブロック２上に屋根用ブロック４を安定して設置することができるようになるとともに、傾斜面部分の位置ずれも防止することができる。
床パネル５は、床基盤ブロック２上、特に壁用ブロック３の内側の床基板ブロック２に取り付けられる。床パネル５は、図１５Ａに示すように、長方形の薄板の一方主面側に、実際の家屋における床のパターン、例えばフローリング地や畳地、大理石地、カーペット地等を模した色やパターン（以下、床装飾パターンと称する。）の加工が施され、また、図１５Ｂに示すように、他方主側に、床基盤ブロック２との接合部５ａが形成されている。この接合部５ａは、例えば同図に示すように複数の第１の接合用突部６間の隙間の形状に合わせて、十字を縁取った立壁により構成されている。接合部５ａは、床パネル５の床基盤ブロック２に対する接合を強固にするべく、上記十字状の立壁が複数個、本実施例では２個隣接したものが一組、計４個形成されている。
上述した構成の床パネル５は、上記接合部５ａを第１の接合用突部６間に嵌合させることによって床基盤ブロック２上に取り付けられる。この床パネル５は、好みに合わせて、例えば部屋毎に異なる床装飾パターンのものを取り付ける等して自由な取付が可能であり、また、随時簡単に着脱を行うことができるため、家屋模型において多様な床のパターンやその模様替えを気軽に楽しむことができるようになる。
なお、この床パネル５は、上述したような家屋内の床装飾パターンだけでなく、家屋の周りの地面、例えば芝生や砂利、コンクリート敷きの地面等の装飾パターンを模した加工を施したものを、家屋の外部に取り付けるようにしても良い。また、これら種々の装飾パターン（床装飾パターンを含む。）は、床パネル５自体に模様として刻む、描く等の方法や、ミニチュア化した畳やカーペット、芝生のシール等の別部材を貼り付ける等の方法により実現される。
また、床パネル５は、種々の大きさのものを用意し、さらに上述した床基盤ブロック２のようにその大きさについて定義して実際の家屋内の部屋の大きさ等を意識しながら家屋模型を作製することもできる。例えば、図１５Ａ及び図１５Ｂに示す大きさの床パネル５は、床基盤ブロック２に取り付けた際には、上述した例において四坪と大きさが定義された床基盤ブロック２の８分の１である縦３個、横６個の第１の接合用突部６上を覆うが、この大きさのものを１畳分と定義し、これを基準として種々の部屋等の大きさに合うように、６畳、半畳、３分の１畳、９分の２畳等の大きさを用意する。
上述した各要素ブロックにより家屋模型を構成する家屋組立おもちゃ１は、各要素ブロックにそれぞれ形成された接合用の突部及び凹部によって各要素ブロック間の接合が行われる。したがって、はさみ、のり等の組立のための用具を用意する必要が無く、また、突部を凹部や孔部、突部間の隙間に嵌合させることのみで組み立てられて各要素ブロックの着脱が簡単なため、組立、分解を容易に行うことができ、何度も繰り返し作り替えることができる。
また、家屋組立ておもちゃ１は、所定大きさの要素ブロックを自由に組み立てて家屋模型を作製することができ、その組立の自由度及び拡充性に優れている。
さらに、家屋組立おもちゃ１においては、各要素ブロックを組み立てて家屋模型を完成させた際に、該家屋模型の外部から内部への線材の配設、例えば電源供給のための線材Ｗの配線が可能なよう構成されている。具体的には、家屋組立おもちゃ１は、床基盤ブロック２と壁用ブロック３との接合部分において、第１の接合用突部６に形成された貫通孔６ａと、孔部として形成された第１の嵌合用凹部１０ａとが連通する。また、床基盤ブロック２相互間の接合においても、第２の接合用突部７の溝部７ａと接合用凹部８の孔部８ａとが連通する。そして、図１６に示すように、家屋模型外部から、例えば照明用の配線を行う場合、床基盤ブロック２の側面側から線材Ｗを挿入して、仕切壁９の切欠き９ａの間を通し、さらに壁用ブロック３との接点となっている第１の接合用突部６の貫通孔６ａを通して壁用ブロック２に沿って這わせることで、家屋内部の電球等の照明に電源を供給することができるようになる。このとき、床基盤ブロック２が複数に亘る場合であっても、上述したように第２の接合用突部７の溝部７ａと接合用凹部８の孔部８ａとが連通しているため、線材を配線することができる。このように、家屋組立おもちゃ１では、予め各要素ブロックの接合部を構成する突部及び凹部に形成された複数の孔部等を利用して簡易且つ自在に電源供給用等の線材Ｗの配線を行うことができる。そして、このような配線により、内部に照明等を持たせたよりリアルな家屋模型を実現することができる。
家屋組立おもちゃにあって１は、床基盤ブロック２と屋根用ブロック４との接合部分、及び屋根用ブロック４の各構成ブロックの接合部分においても、上述した床基盤ブロック２と壁用ブロック３、床基盤ブロック２相互間と同様に孔部等によって連通されるため、上記線材の配線を行うことができる。したがって、家屋組立おもちゃ１においては、家屋模型全体に自由に線材Ｗを配線することができ、照明設置の自由度も大きくなる。
このような家屋組立おもちゃ１は、その優れた組立の自由度及び拡充性から、ままごと遊び等における遊技用具としてだけでなく知育玩具として用いることができ、また、そのリアルさや大きさ等が定義付けられている点等から、観賞用のオブジェや実際の部屋の模様変えやリフォームの計画を立てる道具、実際に家を建てる差異のイメージ模型としても有効である。
なお、家屋組立おもちゃ１は、上述した構成に限定されるものではなく、その趣旨を逸脱しない範囲で適宜変更が可能である。上述した実施例においては、屋根を切妻型の屋根とした場合について説明したが、この他の形状、例えば図１７に示すような四方へ流れる傾斜面を有する寄棟型の屋根や、図１８に示すようなピラミッド型の屋根とするものであってもよい。
図１７に示す寄棟型の屋根を構成する場合には、上述した第１の構成ブロック１４に加えて、さらに図１９に示す主棟部分以外の隣接する傾斜面の接合部、いわゆる隅棟部分を構成する第３の構成ブロック２１を使用する。この第３の構成ブロック２１は、最も主棟部分に近い位置に配される頂部２１ａと、この頂部２１ａより下側（軒先側）の隅棟部分を構成する隅棟部２１ｂとからなり、これらを複数個組み合わせて接合することで略三角形状の傾斜面と、この傾斜面に隣接する第１の構成ブロック１４からなる傾斜面との接合部である隅棟部分とを構成する。頂部２１ａは、同図に示すように、略正三角形上を呈し、一の側面に第１の構成ブロック１４の接合面１４ａと同様の突部２１ｃ及び孔部２１ｄが形成され、他の側面には接合面１４ｄと同様の突部２１ｅ及び孔部２１ｆが形成されている。隅棟部２１ｂは、略台形状を呈し、台形における上底及び下底部分の側面に第１の構成ブロック１４の接合面１４ａと同様の突部２１ｇ及び孔部２１ｈが形成され、傾斜した側面には接合面１４ｄと同様の突部２１ｉ及び孔部２１ｊが形成されている。この隅棟部２１ｂには、同図に示すように、傾斜し且つ突部２１ｉ及び孔部２１ｊが形成された側面が反対位置に形成された２種がある。
上述した第３の構成ブロック２１にあっては、各部の傾斜した側面が内方側に傾いて形成されている。したがって、上述した各部の側面を接合面とすると、角度ある接合がなされ隅棟部分が構成される。
また、図１８に示すピラミッド型の屋根を構成する場合には、上述した第１の構成ブロック１４と第３の構成ブロック２１とによって略三角形状の傾斜面を形成し、４面の略三角形状の傾斜面を接合する。
産業上の利用の可能性
以上詳細に説明したように、本発明に係る家屋組立おもちゃでは、各ブロックの接合部に構成された孔部を利用した簡易且つ自在な電源供給用等の線材の配線が可能となり、例えば家屋の模型の内部に照明等を持たせることでよりリアルな家屋の模型を作製することができる。
また、本発明では、一種の構成ブロックの接合向きを変更することによって、平面と屈折部の双方が構成可能となり、主棟部分のように屋根の角度を変更する部位において特別な部品を必要とすることがなく、部品点数を少なく抑えることができる。したがって、本発明では、このように少ない部品点数により、組立の簡易化を図ることができる。
【図面の簡単な説明】
図１は、本発明を適用した家屋組立おもちゃの斜視図である。
図２は、床基盤ブロックの斜視図である。
図３は、図２中Ａ−Ａ線における縦断面図である。
図４は、床基盤ブロックの裏面側からの斜視図である。
図５Ａは、他の形状の床基盤ブロックの斜視図である。
図５Ｂは、さらに他の形状の床基盤ブロックの斜視図である。
図５Ｃは、さらに他の形状の床基盤ブロックの斜視図である。
図６は、壁用ブロックの斜視図である。
図７は、壁用ブロックの分解斜視図である。
図８は、壁用ブロックを下部側からの斜視図である。
図９Ａは窓パターンを有する壁パネルの斜視図である。
図９Ｂはドアパターンを有する壁パネルの斜視図である。
図１０は、柱用ブロックの斜視図である。
図１１は、壁用ブロックと床基盤ブロックとの接合状態を説明する分解斜視図である。
図１２は、屋根用ブロックの第１の構成ブロックの斜視図である。
図１３は、同第１の構成ブロックの裏面側からの斜視図である。
図１４は、屋根用ブロックの第２の構成ブロックからなる支持部分の分解斜視図である。
図１５Ａは床パネルの斜視図である。
図１５Ｂは床パネルの裏面側の斜視図である。
図１６は、家屋組立おもちゃにおける線材の配線状態を説明するための縦断面図である。
図１７は、屋根用ブロックの他の形状を示す斜視図である。
図１８は、屋根用ブロックのさらに他の形状を示す斜視図である。
図１９は、屋根用ブロックの第３の構成ブロックからなる傾斜面の分解斜視図である。
【図１】
2003103793.tif 000003
【図３】
2003103793.tif 000004
【図２】
2003103793.tif 000005
【図４】
2003103793.tif 000006
2003103793.tif 000007
【図６】
2003103793.tif 000008
【図８】
2003103793.tif 000009
【図７】
2003103793.tif 000010
2003103793.tif 000011
【図１０】
2003103793.tif 000012
【図１１】
2003103793.tif 000013
【図１２】
2003103793.tif 000014
【図１３】
2003103793.tif 000015
【図１４】
2003103793.tif 000016
2003103793.tif 000017
【図１６】
2003103793.tif 000018
【図１７】
2003103793.tif 000019
【図１８】
2003103793.tif 000020
【図１９】
2003103793.tif 000021
【国際調査報告】
2003103793.tif 000022
2003103793.tif 000023
2003103793.tif 000024
2003103793.tif 000025